(57)【要約】【課題】廃棄物処分施設における廃棄物の安定化を促進することができる廃棄物安定化方法を提供することを目的とする。【解決手段】本発明の廃棄物安定化方法は、廃棄物Ｓが貯留され埋め立てられる貯留槽３と、貯留槽３の浸出水が集められる集水ピット５と、を備える廃棄物処分施設１において貯留槽３の廃棄物層Ｓｍの安定化を行う廃棄物安定化方法であって、水を熱交換部３１で加熱し昇温する水昇温工程と、水昇温工程で得られる昇温水を貯留槽３内の廃棄物層Ｓｍ又は竪管Ｔに供給する昇温水供給工程と、を備えている。【選択図】図６
2013027833.tif 000002
【特許請求の範囲】
【請求項１】
廃棄物が貯留され埋め立てられる貯留槽と、前記貯留槽の浸出水が集められる集水ピットと、を備える廃棄物処分施設において前記貯留槽の廃棄物の安定化を行う廃棄物安定化方法であって、
水を加熱し昇温する水昇温工程と、
前記水昇温工程で得られる昇温水を前記貯留槽内に供給する昇温水供給工程と、を備えたことを特徴とする廃棄物安定化方法。
【請求項２】
前記廃棄物処分施設は、
前記貯留槽内の廃棄物に埋め込まれるように設けられ前記貯留槽の浸出水を集めて前記集水ピットに導く竪管を備えており、
前記竪管は、透水可能な側壁をもち前記廃棄物の上方で開口したパイプと、当該パイプの周囲に形成された砂利層と、を有し、
前記昇温水供給工程では、
前記昇温水を前記砂利層の上端部に供給することを特徴とする請求項１に記載の廃棄物安定化方法。
【請求項３】
前記水昇温工程では、
前記集水ピットに集められた前記浸出水を加熱し昇温することを特徴とする請求項１又は２に記載の廃棄物安定化方法。
【請求項４】
前記水昇温工程では、
前記集水ピットに集められた前記浸出水を浄化処理して生成した浄化浸出水を加熱し昇温することを特徴とする請求項１又は２に記載の廃棄物安定化方法。
【請求項５】
前記水昇温工程では、
外部から供給される水を加熱し昇温することを特徴とする請求項１又は２に記載の廃棄物安定化方法。
【発明の詳細な説明】
【技術分野】
【０００１】
本発明は、廃棄物処分施設における廃棄物安定化方法に関するものである。
【背景技術】
【０００２】
従来、このような分野の技術として、下記特許文献１に記載の廃棄物最終処分場が知られている。この廃棄物最終処分場では、埋立地から流出する浸出水に溶存酸素を与え、これを再び埋立地に戻す。この処理を行うことで埋立地内を好気性状態とし、廃棄物内における好気性処理を促進することが提案されている。
【先行技術文献】
【特許文献】
【０００３】
【特許文献１】特開平９−１９２６２２号公報
【発明の概要】
【発明が解決しようとする課題】
【０００４】
この種の廃棄物処分においては、埋立て終了後には可能な限り早く管理期間を終了させて処分施設を閉鎖すべく、早期に廃棄物を安定化させることが望まれる。しかしながら、特許文献１の方法では、埋立地に過剰に溶存酸素を与えたとしても、好気性菌の活性化には限界があり、好気性処理が十分に促進されない場合も考えられる。埋立地における廃棄物の更なる早期安定化のために、廃棄物安定化を更に促進することが望まれる。
【０００５】
上記の事情に鑑み、本発明は、廃棄物処分施設における廃棄物の安定化を促進することができる廃棄物安定化方法を提供することを目的とする。
【課題を解決するための手段】
【０００６】
本発明の廃棄物安定化方法は、廃棄物が貯留され埋め立てられる貯留槽と、貯留槽の浸出水が集められる集水ピットと、を備える廃棄物処分施設において貯留槽の廃棄物の安定化を行う廃棄物安定化方法であって、水を加熱し昇温する水昇温工程と、水昇温工程で得られる昇温水を貯留槽内に供給する昇温水供給工程と、を備えたことを特徴とする。
【０００７】
この廃棄物安定化方法によれば、加熱された昇温水が貯留槽内に供給されるので、貯留槽内の温度が上がり、廃棄物内の好気性菌が温度上昇に起因して活性化される。従って、廃棄物の好気性処理が効率よく活性化され、廃棄物の安定化が促進される。
【０００８】
また、本発明の廃棄物安定化方法では、廃棄物処分施設は、貯留槽内の廃棄物に埋め込まれるように設けられ貯留槽の浸出水を集めて集水ピットに導く竪管を備えており、竪管は、透水可能な側壁をもち廃棄物の上方で開口したパイプと、当該パイプの周囲に形成された砂利層と、を有し、昇温水供給工程では、昇温水を砂利層の上端部に供給することとしてもよい。
【０００９】
この構成によれば、昇温水によって竪管の砂利層が加温されることで、その周囲の廃棄物の温度も上昇し、廃棄物内の好気性菌が温度上昇に起因して活性化される。従って、廃棄物の好気性処理が効率よく活性化され、廃棄物の安定化が促進される。更に、昇温水によって竪管の砂利層が加温されることで、パイプ内の空気の温度も上昇する。これにより、廃棄物の上方とパイプ内との温度差が大きくなる。ここでは、廃棄物上方の温度に比べてパイプ内の温度がより高くなる。上記の温度差に起因して、パイプ内の空気が上昇し、当該パイプの開口を通じて廃棄物上方に吐き出されるといった空気の流動が促進される。そうすると、貯留槽の外部の空気が、集水ピットを通じてパイプに導入されるといった空気の流動が促進される。そして、集水ピットから流入した外部の空気が、パイプの側壁及び砂利層を通過して廃棄物にも供給されることになる。従って、廃棄物における好気性雰囲気が高められ、廃棄物の好気性処理が効率よく活性化されて、廃棄物の安定化が促進される。
【００１０】
また、水昇温工程では、集水ピットに集められた浸出水を加熱し昇温することとしてもよく、集水ピットに集められた浸出水を浄化処理して生成した浄化浸出水を加熱し昇温することとしてもよい。
【００１１】
これらの構成によれば、集水ピットの浸出水を再利用して、廃棄物の温度を上げることができる。また、浸出水を昇温して前述の砂利層に供給する場合、浸出水が、砂利層と集水ピットとを繰り返し循環する。したがってこの場合、浸出水に含まれる有機物が、砂利層を通過する際に、砂利層内の好気性菌により分解されるので、浸出水は砂利層を繰り返し通過する間に浄化される。よって、浸出水の浄化を行うことができる。また、水昇温工程では、外部から供給される水を加熱し昇温することとしてもよい。
【発明の効果】
【００１２】
本発明の廃棄物安定化方法によれば、廃棄物処分施設における廃棄物の安定化を促進することができる。
【図面の簡単な説明】
【００１３】
【図１】本発明の実施形態に係る廃棄物処分施設の一例を示す断面図である。
【図２】図１の施設の平面図である。
【図３】図１の施設における廃棄物層Ｓｍ近傍を拡大して示す断面図である。
【図４】図１の施設における竪管近傍を拡大して示す断面図である。
【図５】（ａ）〜（ｄ）は、図１の施設における廃棄物の安定化処理を順次示す断面図である。
【図６】（ａ）〜（ｄ）は、図１の施設で行われる昇温散水工程の各例を模式的に示す図である。
【図７】図１の施設における浸出水誘導部の他の例を示す断面図である。
【発明を実施するための形態】
【００１４】
以下、図面を参照しつつ本発明に係る廃棄物安定化方法の実施形態について詳細に説明する。
【００１５】
図１及び図２に示す廃棄物処分施設１は、廃棄物を埋立て処分する施設であり、施設１には、有機物、無機物（塩類、重金属）を含む種々の廃棄物Ｓが投棄され埋立処分される。廃棄物Ｓとしては、例えば、ごみ焼却施設で発生する焼却灰や飛灰固化物、有機汚泥、無機汚泥、木くず、鉱さい等がある。なお、埋め立てられる廃棄物Ｓに対しては、事前に廃棄物Ｓから有価物を取り出したり、廃棄物Ｓを混合したりといった操作が行われる。
【００１６】
施設１を最終的に廃止するためには、廃棄物Ｓの安定化を完了させる必要があるので、廃棄物Ｓの安定化度を管理する必要がある。なお、この種の施設においては、廃棄物Ｓからの浸出水の水質、廃棄物Ｓからのガス発生、廃棄物Ｓの温度、沈下等が、所定の基準に達したときに廃棄物の安定化が完了したものとされ、その安定化の進行度合いを安定化度と呼んでいる。施設１においては、廃棄物Ｓの埋立期間中に、廃棄物Ｓからの浸出水の水質、廃棄物Ｓからのガス発生量、廃棄物Ｓの温度、沈下等を管理する必要がある。
【００１７】
施設１は、廃棄物Ｓを貯留するためのすり鉢状の貯留槽３を有している。貯留槽３内には、廃棄物Ｓが層状に積み重ねられて埋立て処分される。図１は、貯留槽３の埋立完成の途中であり、ｍ層（ｍ＝２，３，…）の廃棄物層が貯留槽３内に形成された状態を例示している。以下では、下から数えて１番目、２番目、…、ｍ番目の廃棄物層を、「廃棄物層Ｓ１」、「廃棄物層Ｓ２」、…、「廃棄物層Ｓｍ」といった符号を付して示す。また、施設１は、貯留槽３の上方に屋根４を備えた「閉鎖型の廃棄物処分場」呼ばれるタイプの廃棄物処分施設である。ここでは、貯留槽３の全体が、廃棄物安定化の管理対象である管理対象領域Ｈである。なお、管理対象領域Ｈには、廃棄物層Ｓ１〜Ｓｍを水平方向に分断する仕切等は設けられていない。
【００１８】
施設１は、集水ピット５を備えている。集水ピット５には、貯留槽３内で発生する浸出水が集められる。更に、貯留槽３内には、所定の間隔をおいて竪管Ｔが複数設けられている。竪管Ｔは、廃棄物層Ｓ１〜Ｓｍに埋め込まれ鉛直方向に延びている。竪管Ｔは、廃棄物Ｓから発生する浸出水を集め、集水パイプ６を通じて集水ピット５に導く。ここでは、図２に例示するように、貯留槽３内に６個の竪管Ｔが格子状の配置で設けられているものとして説明する。なお、各々の竪管Ｔ同士を区別する場合には、竪管Ｔ１，Ｔ２，…Ｔ６といった符号を付して示す。
【００１９】
各竪管Ｔ１，Ｔ２，…Ｔ６には、それぞれ集水を担当すべき集水エリアＢ１，Ｂ２，…Ｂ６が一対一で割り当てられている。集水エリアＢ１〜Ｂ６は、それぞれ竪管Ｔ１〜Ｔ６の周囲のエリアであり、図２中に一点鎖線で示すように、貯留槽３を平面視で６分割したものである。集水エリアＢ１で発生した浸出水はほぼすべて、竪管Ｔ１に集められるようになっている。同様に、集水エリアＢ２，Ｂ３，…，Ｂ６で発生した浸出水は、それぞれ、竪管Ｔ２，Ｔ３，…，Ｔ６に集められる。なお、図３に示されるように、集水エリアＢ１〜Ｂ６同士の境界は、鉛直壁等で仕切られることはない。
【００２０】
次に、図３を参照しながら、各集水エリアＢ１〜Ｂ６の浸出水を、それぞれ対応する竪管Ｔ１〜Ｔ６に誘導するための構造について説明する。
【００２１】
廃棄物層Ｓ１〜Ｓ（ｍ−１）は、既に安定化が完了し、締め固められており、透水性が低い状態である。これに対して、廃棄物層Ｓｍは、安定化の途中であり、締め固められておらず、透水性が高い。よって、廃棄物層Ｓｍの浸出水は、廃棄物層Ｓ（ｍ−１）によって下方への流動が阻害される。そして、図３に示すように、集水エリアＢ１においては、廃棄物層Ｓ（ｍ−１）の上面が、各竪管Ｔ１に向かって下る傾斜面（傾斜部）Ｋとして形成されている。この構造により、集水エリアＢ１における廃棄物層Ｓｍの浸出水は、廃棄物層Ｓ（ｍ−１）によって下方への移動が阻害されると共に、廃棄物層Ｓ（ｍ−１）上面の傾斜によって集水エリアＢ１の中央の竪管Ｔ１に集合する。他の各集水エリアＢ２〜Ｂ６についても同様の構造であり、その結果、各集水エリアＢ１〜Ｂ６における廃棄物層Ｓｍの浸出水は、それぞれ対応する竪管Ｔ１〜Ｔ６に誘導される。
【００２２】
次に、図３及び図４を参照しながら、竪管Ｔの構造を説明する。図３及び図４に示すように、竪管Ｔの上端は、廃棄物層Ｓｍから上方に露出している。竪管Ｔは、鉛直に延在するパイプ２１と、パイプ２１の周りに充填された砂利（例えば割栗石）からなる砂利層２３と、を有している。パイプ２１としては、例えば、高密度ポリエチレン管が採用される。パイプ２１の上端は廃棄物層Ｓｍの上方に開口しており、パイプ２１の他端は、集水パイプ６を介して集水ピット５に連通されている。パイプ２１の側壁には多数の孔（図示せず）が形成されることで、パイプ２１の側壁がある程度の透気性と透水性とを有している。更に、竪管Ｔは、砂利層２３と廃棄物層Ｓ１〜Ｓｍとを仕切るコルゲート管２５を有している。コルゲート管２５もある程度の透水性を有している。
【００２３】
更に、竪管Ｔは、廃棄物層Ｓ（ｍ−１）の上面の傾斜面Ｋと交差する高さの位置において、コルゲート管２５の外壁周りに延びる樋部２７を有している。樋部２７は、中空の円環を半分に切断したような形状をなし、例えば、高密度ポリエチレンを材料とする。樋部２７は、傾斜面Ｋからの浸出水を一時的に貯留する一時貯水部として機能する。樋部２７の上面の貯水部分には、砂利が充填される。
【００２４】
傾斜面Ｋで竪管Ｔに向けて誘導された浸出水は、樋部２７に一旦貯留され、樋部２７から溢れて、コルゲート管２５を透過する。その後、浸出水は、砂利層２３を通過し、一部はパイプ２１に浸入して集水パイプ６に移動し、残りは砂利層２３底部で集水パイプ６に浸入する。その後、浸出水は集水パイプ６を通じて最終的に集水ピット５に送られる。
【００２５】
図２に示すように、施設１では、各集水エリアＢ１〜Ｂ６を平面視で更に細かく分割した小エリアＣが、仮想的に設定されている。図２中には、小エリアＣの境界線を破線で示している。ここでは、図２に例示するように、１つの集水エリアが４つの小エリアＣを含み、貯留槽３全体で合計２４個の小エリアＣが設定されるものとして説明する。また、集水エリアＢ１に含まれる小エリアＣを区別する場合、それぞれ小エリアＣ１１，Ｃ１２，Ｃ１３，Ｃ１４といった符号を付して示すものとする。同様に、必要な場合には、集水エリアＢ２に含まれる小エリアにはＣ２１〜Ｃ２４、集水エリアＢ３に含まれる小エリアにはＣ３１〜Ｃ３４、集水エリアＢ４に含まれる小エリアにはＣ４１〜Ｃ４４といったように符号を付す。また、以下の説明では、１つの集水エリアＢ１や１つの小エリアＣ１１についてのみ代表して構成を説明する場合があるが、その他の集水エリア・小エリアについても同様の構成であるので、重複する説明は省略する。
【００２６】
なお、このような小エリアＣは、鉛直壁等で物理的に仕切られた領域ではなく、運用上で仮想的に設定されるものである。前述のとおり、集水エリアＢ１内においては、各小エリアＣ１１〜Ｃ１４における傾斜面Ｋがすべて竪管Ｔ１に向かって下るように形成されることで、竪管Ｔ１には、４つの小エリアＣ１１〜Ｃ１４の浸出水が集まることになる。このように、上記の傾斜面Ｋは、浸出水誘導部として機能する。
【００２７】
続いて、施設１における廃棄物Ｓの埋立について説明する。
【００２８】
施設１における廃棄物Ｓの埋立ての順序は次のとおりである。まず、空の貯留槽３の全面に亘るように廃棄物Ｓを投入し、貯留槽３の全面に亘る廃棄物層Ｓ１を形成する。この状態で、廃棄物層Ｓ１の安定化度を管理しながら、安定化を行う安定化処理を行う。廃棄物層Ｓ１の安定化が完了したところで、廃棄物層Ｓ１を所定の重機等で締め固める。その後、廃棄物層Ｓ１の上に廃棄物Ｓを投入し、貯留槽３の全面に亘る廃棄物層Ｓ２を形成する。この状態で、廃棄物層Ｓ２の安定化度を管理しながら、安定化を行う安定化処理を行う。廃棄物層Ｓ２の安定化が完了したところで、廃棄物層Ｓ２を所定の重機等で締め固める。以下、同様に上記の手順を、廃棄物層が所定の高さに積層されるまで繰り返す。
【００２９】
すなわち、埋立に係る工程を一般化して述べれば、次のとおりである。図５（ａ）に示すように、既に締め固められた廃棄物層Ｓ（ｍ−２）の上に廃棄物を投入して廃棄物層Ｓ（ｍ−１）を形成し（第（ｍ−１）層形成工程）、当該廃棄物層Ｓ（ｍ−１）の安定化を完了させる。その後、図５（ｂ）に示すように、廃棄物層Ｓ（ｍ−１）を締め固めて上面に傾斜面Ｋを形成する（浸出水誘導部形成工程）。次に、図５（ｃ）に示すように、廃棄物層Ｓ（ｍ−１）の上に廃棄物を投入して廃棄物層Ｓｍを形成する（第ｍ層形成工程）。その後、後述する「エリア別モニタリング工程」によって当該廃棄物層Ｓｍの安定化度管理を行い（エリア別モニタリング工程）、安定化処理を行う。そして、図５（ｄ）に示すように、廃棄物層Ｓｍの安定化を完了させ締め固めた後、その上に廃棄物層Ｓ（ｍ＋１）を形成する。
【００３０】
なお、廃棄物層Ｓｍの形成途中にも、当該廃棄物層Ｓｍの一部についての安定化度管理や安定化処理を開始してもよい。また、竪管Ｔ１〜Ｔ６は、適宜上に延長するように設置していき、上端が常に廃棄物Ｓの上方に露出するようにする（竪管設置工程）。廃棄物層Ｓ１，Ｓ２，…の１層の高さは、例えば約５０ｃｍである。
【００３１】
続いて、廃棄物層Ｓｍを安定化度をモニタリングするためのエリア別モニタリング工程について説明する。
【００３２】
施設１においては、廃棄物Ｓの安定化度管理を小エリアＣ１１〜Ｃ６４毎に行うエリア別モニタリング工程が行われる。エリア別モニタリング工程では、例えば、廃棄物Ｓからの浸出水の水質、廃棄物Ｓからのガス発生、廃棄物Ｓの温度、沈下等が、小エリアＣ１１〜Ｃ６４毎にモニタリングされ管理される。
【００３３】
まず、エリア別モニタリング工程のうち、廃棄物Ｓからの浸出水の水質のモニタリングについて説明する。浸出水の水質に係るエリア別モニタリング工程は、以下説明するエリア散水工程と、浸出水回収工程と、水質情報取得工程と、エリア判定工程と、を備えている。
【００３４】
（エリア散水工程）
まず、貯留槽３中に設定された２４個の小エリアＣ１１〜Ｃ６４（図２参照）のうちの一つのみに散水を行う。ここでは、小エリアＣ１１に散水する例を説明する。散水は、小エリアＣ１１において、廃棄物層Ｓｍの上から水を撒く。そうすると、水は、比較的透水性が高い廃棄物層Ｓｍ内を通過し、浸出水として廃棄物層Ｓ（ｍ−１）の上面まで到達する。そして、廃棄物層Ｓ（ｍ−１）の上面に形成された傾斜面Ｋによって、浸出水が竪管Ｔ１に誘導される。なお、散水は、作業者が手作業で行ってもよく、小エリア別に散水可能なスプリンクラーを設置して行ってもよい。
【００３５】
（浸出水回収工程）
上記散水に係る水が竪管Ｔ１に到達する時間帯（例えば、散水から１時間後）において、竪管Ｔ１に誘導される浸出水を回収する。具体的には、竪管Ｔ１に誘導される浸出水は、一旦、樋部２７（図４）に貯留されるので、例えば、図４に示すように、廃棄物層Ｓｍ上から樋部２７までチューブ２９を差込み、樋部２７に貯留された浸出水をチューブ２９から吸引し回収する。このように、樋部２７を設けることにより、竪管Ｔ１に誘導された浸出水の回収作業が容易になる。なお、樋部２７を省略し、上記浸出水を、竪管Ｔ１のパイプ２１内、又は竪管Ｔ１底部の集水管６内から採取してもよい。
【００３６】
（水質情報取得工程）
続いて、回収された浸出水の水質の指標である水質評価値（水質情報）を計測する。計測する水質評価値には、ＢＯＤ(biochemical oxygen demand)、ＣＯＤ(chemicaloxygen demand)、ＢＯＤ／ＣＯＤ、ＴＯＣ(total organic carbon)、Ｔ−Ｎ(total nitrogen)、ＮＨ４−Ｎ（アンモニウム態窒素）、ＮＯＸ−Ｎ（酸化態窒素）、ＥＣ(electric conductivity)、ＣＩ（塩化物イオン）が含まれる。上述の各水質評価値の測定は、公知の手法や公的な規格（例えば、ＪＩＳ等）に従って行えばよい。
【００３７】
（エリア判定工程）
上記水質情報取得工程で得られた水質評価値に基づいて、散水された上記小エリアＣ１１における廃棄物層Ｓｍの安定化度を判定する。すなわち、上記水質評価値が示す水質が良い（例えば、ＢＯＤが低い）ほど、小エリアＣ１１における廃棄物層Ｓｍの安定化度は高く（安定化が良く進行している）、上記水質評価値示す水質が悪い（例えば、ＢＯＤが高い）ほど、小エリアＣ１１における廃棄物層Ｓｍの安定化度は低い（安定化があまり進行していない）と判定する。
【００３８】
以上のエリア散水工程と、浸出水回収工程と、水質情報取得工程と、エリア判定工程と、を、小エリアＣ１１〜Ｃ６４を変えながら繰り返すことで、すべての小エリアＣ１１〜Ｃ６４のモニタリングを行う。
【００３９】
上述した浸出水の水質に関するエリア別モニタリング工程の作用効果について説明する。エリア散水工程においては、１つの小エリアＣ１１に散水が行われる。そうすると、当該小エリアＣ１１では、廃棄物層Ｓｍを通過した水を含んだ浸出水が発生する。この浸出水は、廃棄物層Ｓ（ｍ−１）上面の傾斜面Ｋによって竪管Ｔ１に誘導される。竪管Ｔ１には４つの小エリアＣ１１〜Ｃ１４からの浸出水が流れ込むが、散水された上記小エリアＣ１１からの浸出水が圧倒的に多い。よって、竪管Ｔ１に集まる浸出水は、ほとんど、上記小エリアＣ１１から発生したものであると言える。
【００４０】
従って、水質情報取得工程で得られる水質評価値は、小エリアＣ１１の廃棄物層Ｓｍにおける廃棄物の安定化度を反映しているものと言える。よって、当該水質評価値に基づいて、小エリアＣ１１における廃棄物層Ｓｍの廃棄物の安定化度を判定することができる。その結果、小エリア毎の廃棄物の安定化度のモニタリングが可能になる。上記エリア別モニタリング方法によれば、小エリアＣ１１〜Ｃ６４毎に廃棄物Ｓの安定化度をモニタリングすることができるので、各小エリアＣ１１〜Ｃ６４毎のそれぞれの安定化度に応じた措置を取る（例えば、後述の安定化促進操作を行う）ことが可能になり、全体として廃棄物Ｓの早期安定化を図ることができる。
【００４１】
なお、水質情報取得工程においては、竪管Ｔ１に誘導された浸出水を回収することに代えて、集水ピット５で浸出水を回収してもよい。竪管Ｔ１と同様に、集水ピット５にも貯留槽３全体の浸出水が流れ込むが、散水された小エリアＣ１１からの浸出水が圧倒的に多い。よって、浸出水回収工程で回収される浸出水は、ほとんど、小エリアＣ１１の廃棄物層Ｓｍから発生したものであると言える。
【００４２】
また、上述の浸出水水質に関するエリア別モニタリング工程によれば、竪管Ｔや集水ピット５を複数の（ここでは４つの）小エリアで兼用させることができるので、設備の複雑化が抑えられ、比較的簡易な設備によるモニタリングが可能である。よって、例えば、別々にモニタリングしたいエリア毎に竪管を設けたり、集水ピットを設けたり、別々にモニタリングしたいエリアを仕切る物理的な鉛直壁等を設ける必要がない。すなわち、設備の複雑化を招くことなく、エリア別の安定化度のモニタリングが可能になる。
【００４３】
なお、貯留槽３の底面（廃棄物層Ｓ１の直下の面）を、前述の傾斜面Ｋに倣う傾斜面としておけば、廃棄物層Ｓ１のモニタリング工程も、前述の廃棄物層Ｓｍにおけるエリア別モニタリング工程と同様の手順で行うことができる。
【００４４】
浸出水以外のエリア別モニタリング工程では、廃棄物Ｓからのガス発生、廃棄物Ｓの温度、沈下等も同様に小エリア毎にモニタリングされ、廃棄物層Ｓｍの安定化度の指標とされる。例えば、小エリアＣ１１の廃棄物層Ｓｍの上方において、メタンガス濃度計を用いてメタンガス濃度を測定する。得られたメタンガス濃度値に基づいて、小エリアＣ１１における廃棄物層Ｓｍの安定化度を判定することができる。すなわち、メタンガス濃度が低いほど、廃棄物層Ｓｍから発生するメタンガスが少ないと考えられ、小エリアＣ１１における廃棄物層Ｓｍの安定化度は高い（安定化が良く進行している）と考えられる。また、例えば、小エリアＣ１１の廃棄物層Ｓｍに、表面から温度計を挿入し、廃棄物層Ｓｍ内の温度を計測する。得られた温度値に基づいて、小エリアＣ１１における廃棄物層Ｓｍの安定化度を判定することができる。すなわち、温度が低いほど、廃棄物層Ｓｍにおける有機物が少ないと考えられ、小エリアＣ１１における廃棄物層Ｓｍの安定化度は高い（安定化が良く進行している）と考えられる。また、小エリアＣ１１の廃棄物層Ｓｍから廃棄物試料をサンプリングし、溶出試験により浸出水のＥＣ、Ｃｌを求めても良い。
【００４５】
そして、上記のような小エリア毎の廃棄物層Ｓｍの安定化度の判定結果に応じて、各々の小エリアにおける廃棄物層Ｓｍを安定化させるための所定の操作を行う。具体的には、ある小エリア（例えば、小エリアＣ１１とする）における安定化度が所定以上に低い（安定化があまり進行していない）と判定された場合には、当該小エリアＣ１１に対して所定の安定化促進操作を行う。
【００４６】
安定化促進操作としては、小エリアＣ１１に対する散水量を増加する、小エリアＣ１１の廃棄物層Ｓｍを掘り返す、小エリアＣ１１に昇温した水を散水する、小エリアＣ１１における廃棄物層Ｓｍの上に断熱マット等を被せる、といった操作があり得る。小エリアＣ１１に対する散水量を増加すると、廃棄物層Ｓｍの好気性処理に必要とされる水分が潤沢に供給され、好気性処理が促進されることで、小エリアＣ１１における廃棄物層Ｓｍの安定化が促進される。また、廃棄物層Ｓｍ中の無機物（塩類、重金属）が散水によって多く洗い流され、浸出水のＥＣやＣｌの低減に寄与することで、小エリアＣ１１における廃棄物層Ｓｍの安定化が促進される。なお、散水に用いる水としては、集水ピット５に集められた浸出水を再利用したものであってもよい。
【００４７】
更に、水を昇温した上で廃棄物層Ｓｍへの上記散水を行えば、上記作用効果に加えて、廃棄物層Ｓｍの温度が上昇し、温度に起因して更に好気性処理が促進されることで、小エリアＣ１１における廃棄物層Ｓｍの安定化が促進される。
【００４８】
また、小エリアＣ１１の廃棄物層Ｓｍを掘り返すと、廃棄物層Ｓｍの好気性処理に必要とされる酸素が潤沢に廃棄物層Ｓｍに混合され、好気性処理が促進されることで、小エリアＣ１１における廃棄物層Ｓｍの安定化が促進される。小エリアＣ１１における廃棄物層Ｓｍの上に断熱マット等を被せると、廃棄物層Ｓｍの温度が高く維持され、温度に起因して好気性処理が促進されることで、小エリアＣ１１における廃棄物層Ｓｍの安定化が促進される。
【００４９】
以上のように、廃棄物層Ｓｍの安定化度が低い小エリアに対して、安定化促進操作を施すようにすることで、貯留槽３の各小エリアにおける安定化を各小エリア毎の状況に合わせて個別に進行させることができ、その結果、全体として廃棄物Ｓの早期安定化を図ることができる。なお、小エリアに対する安定化促進操作は、上記例示した操作を単独で行っても良く、２以上組み合わせて行ってもよい。
【００５０】
更に、施設１における廃棄物安定化方法に係る廃棄物層Ｓｍの安定化処理では、以下に説明する昇温散水工程が行われる。
【００５１】
昇温散水工程は、水を加熱し昇温する水昇温工程と、水昇温工程で得られる昇温水を貯留槽内に供給する昇温水供給工程と、を備えている。図６（ａ）〜（ｄ）には、昇温散水工程の各例を示す。
【００５２】
昇温散水工程の一例では、図６（ａ）に示すように、集水ピット５に集められた浸出水をポンプＰで引き上げ、当該浸出水を熱交換部３１で加熱する（水昇温工程）。熱交換部３１における熱源としては、例えば、バイオマスボイラの燃焼熱等が利用される。そして、加熱で得られた昇温水を、所定の小エリアにおいて廃棄物層Ｓｍの上から散布する（昇温水供給工程）。
【００５３】
昇温散水工程の他の例では、図６（ｂ）に示すように、集水ピット５に集められた浸出水をポンプＰで引き上げ、浄水部３３で浄化処理する。浄水部３３としては、逆浸透膜濾過（Reverse Osmosis Membrane）を用いるＲＯ浄水装置等を好適に用いることができる。ＲＯ浄水装置を用いた場合、浄化後の浄化浸出水がＲＯ浄水装置から熱交換部３１に送られる一方で、不要物を含む水が濃縮されてＲＯ浄水装置から外部へ排出される。次に、浄水部３３で生成された浄化浸出水を熱交換部３１で加熱する（水昇温工程）。そして、加熱で得られた昇温水を、所定の小エリアにおいて廃棄物層Ｓｍの上から散布する（昇温水供給工程）。
【００５４】
昇温散水工程の更に他の例では、図６（ｃ）に示すように、施設１の外部の水を導入し、熱交換部３１で加熱する（水昇温工程）。外部の水としては、例えば、水道水、地下水、雨水等が利用される。そして、加熱で得られた昇温水を、所定の小エリアにおいて廃棄物層Ｓｍの上から散布する（昇温水供給工程）。
【００５５】
昇温散水工程の更に他の例では、図６（ｄ）に示すように、集水ピット５に集められた浸出水をポンプＰで引き上げ、当該浸出水を熱交換部３１で加熱する（水昇温工程）。そして、加熱で得られた昇温水を、竪管Ｔの砂利層２３の上端部に注入する（昇温水供給工程）。なお、図６（ａ）〜（ｃ）に例示する昇温散水工程は、前述した安定化促進操作に採用してもよい。
【００５６】
続いて、上述の昇温散水工程による作用効果について説明する。昇温散水工程によれば、加熱された昇温水が貯留槽３内で廃棄物層Ｓｍや竪管Ｔに供給されるので、廃棄物層Ｓｍの温度が上がり、廃棄物層Ｓｍ内の好気性菌が温度上昇に起因して活性化される。従って、廃棄物層Ｓｍの好気性処理が効率よく活性化され、廃棄物層Ｓｍの安定化が促進される。特に、図６（ａ）〜（ｃ）のように、廃棄物層Ｓｍの上から直接昇温水を散布すれば、上記の効果が高い。特に、外気温が低い冬期においては、昇温散水工程の重要性が高い。なお、図６（ａ）〜（ｃ）において、廃棄物層Ｓｍに昇温水が散布された後、廃棄物層Ｓｍの上面に断熱マット等を被せてもよい。断熱マットによれば、廃棄物層Ｓｍの温度をより高く維持することができる。また、図６（ａ）、（ｂ）及び（ｄ）の構成によれば、集水ピット５の浸出水を再利用して、廃棄物の温度を上げることができる。
【００５７】
また、図６（ｄ）の構成によれば、浸出水が、砂利層２３と集水ピット５とを繰り返し循環することになる。したがってこの場合、浸出水に含まれる有機物が、砂利層２３を通過する際に、砂利層２３内の好気性菌により分解されるので、浸出水は砂利層２３を繰り返し通過する間に浄化される。よって、浸出水の浄化を行うことができる。なお、貯留槽３の内側壁面に、集水パイプ６に通じる砂利層を設けた場合には、当該砂利層に昇温水を供給することとしてもよい。この場合も、図６（ｄ）と同等に上記の作用効果が得られる。
【００５８】
また、図６（ｄ）の構成によれば、昇温水によって竪管Ｔの砂利層２３が加温されることで、その周囲の廃棄物層Ｓｍの温度も上昇し、廃棄物層Ｓｍ内の好気性菌が温度上昇に起因して活性化される。従って、廃棄物Ｓの好気性処理が効率よく活性化され、廃棄物層Ｓｍの安定化が促進される。更に、昇温水によって竪管Ｔの砂利層２３が加温されることで、竪管Ｔのパイプ２１内の空気の温度も上昇する。これにより、廃棄物層Ｓｍの上方とパイプ２１内との温度差が大きくなる。ここでは、廃棄物層Ｓｍ上方の温度に比べてパイプ２１内の温度がより高くなる。
【００５９】
そして、上記の温度差に起因して、パイプ２１内の空気が上昇し、当該パイプの上端開口を通じて廃棄物層Ｓｍ上方に吐き出されるといった空気の流動が促進される（煙突効果）。そうすると、貯留槽３の外部の空気が、集水ピット５及び集水パイプ６を通じてパイプ２１に導入されるといった空気の流動が促進される。なお、通常は、集水パイプ６の断面すべてが浸出水に満たされるわけではないので、集水ピット５からの空気は、集水パイプ６の断面の上部を通過してパイプ２１の上端開口に流れる。そして、集水ピット５から流入した外部の空気は、パイプ２１側壁の透気・透水用の孔及び砂利層２３を通過して廃棄物層Ｓｍにも供給されることになる。従って、廃棄物層Ｓｍにおける好気性雰囲気が高められ、廃棄物層Ｓｍの好気性処理が効率よく活性化され、廃棄物層Ｓｍの安定化が促進される。なお、廃棄物層Ｓｍの上方とパイプ２１内との温度差は、冬期においては比較的大きくなり易いが、夏期においては、高い外気温に起因して、上記温度差が小さくなりやすく、上記の煙突効果が得られにくい。従って、図６（ｄ）の構成は、夏期において特に重要性が高く、夏期においても上記温度差を大きくして、煙突効果を高めることができる。また、集水ピット５にファン等を設けることなく、上記煙突効果による空気の流動が発生するので、ファン等の追加が不要であり設備の複雑化も避けることができる。また、施設１が屋根４を備えることも、夏期における上記温度差を低減させることに寄与している。
【００６０】
以上、本発明の実施形態について説明したが、本発明は、上記実施形態に限られるものではなく、各請求項に記載した要旨を変更しない範囲で変形したものであってもよい。
【００６１】
例えば、実施形態では、同じ集水エリア（例えば、集水エリアＢ１）に属する複数の小エリア（例えば、４つの小エリアＣ１１〜Ｃ１４）の浸出水を１つの竪管（Ｔ１）に集めるための浸出水誘導部として、図３に示すような傾斜面Ｋを設けているが、浸出水誘導部の構成はこれに限られない。例えば、図７に示すように、竪管Ｔ周囲の各小エリアのほぼ全体に広がり、当該竪管Ｔに接続される透水層Ｇを、廃棄物層Ｓ（ｍ−１）の上面に浸出水誘導部として形成してもよい。隣接する透水層Ｇ同士は、集水エリア同士の境界において分断されている。透水層Ｇは、例えば、廃棄物層Ｓ（ｍ−１）の上面に設置された面状排水マットである。図７の構成では、廃棄物層Ｓｍを通過した浸出水は、透水層Ｇに浸入して水平に移動し、当該透水層Ｇに接続された竪管Ｔ１に流れ込む。この場合、廃棄物層Ｓ（ｍ−１）の上面が水平面であっても上記の作用効果は達せられるが、廃棄物層Ｓ（ｍ−１）の上面を前述のような傾斜面Ｋとしてもよい。
【００６２】
また、実施形態では、貯留槽３の全体が管理対象領域Ｈであり、貯留槽３全体に対して１つの集水ピット５が設けられている。本発明はこの形態に限られず、１つの集水ピットに対応する集水領域を、１つの管理対象領域として設定すればよい。すなわち、廃棄物処分施設が１つの貯留槽に対して複数の集水ピットを備える場合、そのうちの１つの集水ピットに対応する集水領域を「管理対象領域」として、本発明を適用してもよい。
【００６３】
また、実施形態では、貯留槽３が６つの集水エリアに区分され、１つの集水エリアが４つの小エリアに区分された形態を説明しているが、このような集水エリア・小エリアの区分数は説明の理解を容易にするための一例であって、本発明を限定するものではない。集水エリア・小エリアの区分数が種々変更された場合にも、前述した実施形態の説明に倣って本発明を実施することができる。また、実施形態では、種々の廃棄物Ｓが仕分けされずに投棄され埋立処分される施設について説明したが、本発明は、ごみ質ごとに埋め立てる場所を分ける廃棄物処分施設にも適用可能である。
【００６４】
また、実施形態では、管理対象領域Ｈには、廃棄物層Ｓ１〜Ｓｍを水平方向に分断する仕切等は設けられていないが、このような仕切が設けられてもよい。
【符号の説明】
【００６５】
１…廃棄物処分施設、３…貯留槽、５…集水ピット、２１…パイプ、２３…砂利層、Ｔ…竪管、Ｓ…廃棄物、Ｓ１〜Ｓｍ…廃棄物層。
【図１】
2013027833.tif 000003
【図２】
2013027833.tif 000004
【図３】
2013027833.tif 000005
【図４】
2013027833.tif 000006
【図５】
2013027833.tif 000007
【図６】
2013027833.tif 000008
【図７】
2013027833.tif 000009